(57)【要約】【課題】  機械式のパチンコ遊技機において、新たな払い出し方法により趣向性の異なるパチンコ遊技機を提供するとともに、従来にはない新たな仕掛部材及び障害釘の配置をも提供する。【解決手段】  本発明にかかるパチンコ遊技機２００は、複数の小入賞口を有する仕掛部材２０と、仕掛部材の小入賞口２２に遊技球が入球した際に、それぞれの小入賞口２２に対応して所定の遊技球が入球するまで開口状態を維持する大入賞口３０と、を備え、大入賞口３０には、それぞれ大入賞口３０に入球した遊技球の球数を表示する画像表示装置６０が設けられていることを特徴とする。【選択図】図１
2019141420.tif 000002
【特許請求の範囲】
【請求項１】
複数の小入賞口を有する仕掛部材と、
前記仕掛部材の前記小入賞口に遊技球が入球した際に、それぞれの前記小入賞口に対応して所定の遊技球が入球するまで開口状態を維持する大入賞口と、
を備え、
前記大入賞口には、それぞれ前記大入賞口に入球した遊技球の球数を表示する画像表示装置が設けられていることを特徴とするパチンコ遊技機。
【請求項２】
前記画像表示装置は、ドットマトリックスで形成されたモニター又は７セグメントディスプレイであることを特徴とする請求項１に記載のパチンコ遊技機。
【請求項３】
前記仕掛部材の左右にシーソー型仕掛物が設けられていることを特徴とする請求項１又は２に記載のパチンコ遊技機。
【請求項４】
前記シーソー型仕掛物は、球受部と、前記球受部を回転自在に軸支する回転軸部とを有し、前記遊技球の落下によって回転可能に形成されていることを特徴とする請求項３に記載のパチンコ遊技機。
【請求項５】
前記シーソー型仕掛物は、前記球受部の回転を支持する支持部を備えていることを特徴とする請求項４に記載のパチンコ遊技機。
【請求項６】
前記シーソー型仕掛物は、前記支持部によって、１８０°の回転のみ可能に形成されていることを特徴とする請求項５に記載のパチンコ遊技機。
【請求項７】
前記シーソー型仕掛物は、前記支持部によって支持されている状態において、上面は前記仕掛部材側が低くなるように傾斜して形成されていることを特徴とする請求項５又は６に記載のパチンコ遊技機。
【請求項８】
前記大入賞口がチューリップ型である場合において、チューリップの羽根の開閉回数を検知可能な光センサが設けられていることを特徴とする請求項１から７のいずれか１項に記載のパチンコ遊技機。
【請求項９】
請求項１から８のいずれか１項に記載のパチンコ遊技機において、
隣接する天釘のうちの少なくとも一組は、垂直方向に隣接して植設されていることを特徴とするパチンコ遊技機。
【発明の詳細な説明】
【技術分野】
【０００１】
本発明は、パチンコ遊技機に関する。
【背景技術】
【０００２】
機械式のパチンコ遊技機において、複数の入賞口を開口する遊技盤として、特許文献１に記載の発明が提案されている。
【先行技術文献】
【特許文献】
【０００３】
【特許文献１】特開２００７−３０７２６６号公報
【発明の概要】
【発明が解決しようとする課題】
【０００４】
本発明は、機械式のパチンコ遊技機において、従来にはない新たな仕掛部材及び障害釘の配置を有するパチンコ遊技機を提供することを主たる目的とする。
【課題を解決するための手段】
【０００５】
本発明は、上述の主目的を達成するために以下の手段を採った。
【０００６】
本発明にかかる遊技機は、
複数の小入賞口を有する仕掛部材と、
前記仕掛部材の小入賞口に遊技球が入球した際に、それぞれの小入賞口に対応して所定の遊技球が入球するまで開口状態を維持する大入賞口と、
を備え、
前記大入賞口には、それぞれ大入賞口に入球した遊技球の球数を表示する画像表示装置が設けられていることを特徴とする。
【０００７】
本発明にかかる遊技機によれば、仕掛部材の小入賞口に遊技球が入球すると確実に大入賞口が開口するので、遊技者にとって当選がわかりやすく、当選した場合に得られる賞球数がカウントし易い。また。当選中であっても残りの賞球数が表示装置によって計算し易くなる。そのため、遊技者を惹き付けやすいパチンコ遊技機とすることができる。
【０００８】
また、本発明にかかる遊技機において、前記画像表示装置は、ドットマトリックスで形成されたモニター又は７セグメントディスプレイであることを特徴とするものであってもよい。
【０００９】
ドットマトリックスで作製されたモニターを使用することによって、数字以外にも様々な図柄を表示することができるので、当選中以外にも様々な画像で演出を行うことができ、遊技者を惹き付けやすいパチンコ遊技機とすることができる。
【００１０】
さらに、本発明にかかる遊技機において、前記仕掛部材の左右にシーソー型仕掛物が設けられていることを特徴とするものであってもよい。
【００１１】
このように仕掛部材の左右に仕掛けのあるシーソー型仕掛物を配置することによって、仕掛部材へ遊技球が入りやすいとの印象を受けるため、遊技者を惹き付けやすい遊技機とすることができる。
【００１２】
さらに、本発明にかかる遊技機において、前記シーソー型仕掛物は、球受部と、前記球受部を回転自在に軸支する回転軸部とを有し、遊技球の落下によって回転可能に形成されていることを特徴とするものであってもよい。
【００１３】
かかる構成を採用することによって、シーソー型仕掛物に対して遊技球の反発を様々な方向にすることができるので、より趣向性の高い仕掛物とすることができる。
【００１４】
さらに、本発明にかかる遊技機において、前記シーソー型仕掛物は、前記球受部の回転を支持する支持部を備えていることを特徴とするものであってもよい。
【００１５】
かかる構成を採用することによって、回転が一定方向に抑えられるため、より複雑な動きをさせることができる。
【００１６】
さらに、本発明にかかる遊技機において、前記シーソー型仕掛物は、支持部によって、１８０°の回転のみ可能に形成されていることを特徴とするものであってもよい。
【００１７】
かかる構成を採用することによって、支持部で支持されている状態で上面の傾きを一定に形成することができる。
【００１８】
さらに、本発明にかかる遊技機において、前記シーソー型仕掛物は、前記支持部によって支持されている状態において、上面は前記仕掛部材側が低くなるように傾斜して形成されていることを特徴とするものであってもよい。
【００１９】
かかる構成を採用することによって、仕掛物側へ遊技球を誘導しやすくなり、遊技者を惹き付けやすい遊技盤とすることができる。
【００２０】
さらに、本発明にかかる遊技機において、
大入賞口がチューリップ側である場合において、チューリップの羽根の開閉回数を検知可能な光センサが設けられていることを特徴とするものであってもよい。
【００２１】
かかる構成を採用することによって、チューリップ側の大入賞口になんら電気的デバイスを用いることなく、遊技球の入球数をカウントすることができるようになる。
【００２２】
さらに、本発明にかかる遊技機において、
隣接する天釘のうちの少なくとも一組は、垂直方向に隣接して植設されていることを特徴とするものであってもよい。
【００２３】
かかる構成を採用することによって、遊技球の回転力を抑えて直下に落下しやすくさせることができる。
【図面の簡単な説明】
【００２４】
【図１】図１は、実施形態にかかるパチンコ遊技機２００に使用される遊技盤１００の正面図である。
【図２】図２は、実施形態にかかるパチンコ遊技機２００に使用される大入賞口３０及び画像表示装置１００の上面図及び正面図である。
【図３】図３は、実施形態にかかるパチンコ遊技機２００に使用される一般入賞口３５の斜視図及び断面図である。
【図４】図４は、実施形態にかかるパチンコ遊技機２００に使用されるシーソー型仕掛物４０の斜視図である。
【図５】図５は、実施形態にかかる遊技盤１００に使用されるシーソー型仕掛物４０の斜視図である。
【図６】図６は、実施形態にかかる遊技盤１００が使用されたパチンコ遊技機２００を示す正面図である。
【発明を実施するための形態】
【００２５】
以下、図面に基づいて、実施形態にかかるパチンコ遊技機２００について詳細に説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。各図において対応する構成要素には同一又は類似の符号が付されている。説明の便宜上、本明細書及び特許請求の範囲において、右、左側、上側、下側とは、図１における矢印の方向を示す。
【００２６】
本発明に係るパチンコ遊技機２００に使用される遊技盤１００は、図１に示すように、遊技盤１００の前面側にガイドレール１１で囲われた遊技領域１０を有しており、遊技領域１０の左側は、外側に配置される外側ガイドレール１１ａと内側に配置される内側ガイドレール１１ｂによって、遊技球を遊技領域１０に案内する遊技球案内通路１２が形成されている。遊技領域１０には、主として、障害釘１５（一部のみ図示してある）、小入賞口（２２ａ、２２ｂ、２２ｃ）を有する仕掛部材２０と、複数の大入賞口３０（３１、３２、３３）と、シーソー型仕掛物４０、入賞外の遊技球を回収するアウト口７０と、を備えている。
【００２７】
仕掛部材２０は、図１に示すように、左右に一つずつの小入賞口（２２ａ、２２ｂ）及びこれらの中央かつ上方に一つの入賞口（２２ｃ）の３つの小入賞口２２を有している。仕掛部材２０の小入賞口２２に入賞した遊技球は、遊技盤１００の裏面に形成された遊技球誘導路（図示しない。）を経由して、後述する大入賞口３０にそれぞれ誘導される。本実施形態においては、仕掛部材２０は、３つの小入賞口２２を有するものとしたが、小入賞口２２の数は３つの限定するものではなく、３つ以上有するものであってもよい。
【００２８】
大入賞口３０は、いわゆる機械式の入賞口であり、本実施形態においては、非電動式のチューリップ型の大入賞口３０を採用しているが、これに限定するものではない。大入賞口３０は、仕掛部材２０の小入賞口２２の数と同じ数だけ設けられる。本実施形態においては、小入賞口２２が３つであるので、これに合わせて、大入賞口３０が３つ（３０ａ、３０ｂ、３０ｃ）設けられている。大入賞口３０は、それぞれ大入賞口３０ａが小入賞口２２ａに、大入賞口３０ｂが小入賞口２２ｂに、大入賞口３０ｃが小入賞口２２ｃに対応するように設けられており、それぞれの小入賞口２２に遊技球が入球した場合には、裏面の遊技球誘導路によって、それぞれ対応する大入賞口３０に誘導され、大入賞口３０を機械的に開口させることができる。大入賞口３０は、小入賞口２２を経由して開口した場合には、それぞれあらかじめ決められた個数の遊技球が入球するまで開いた状態を保つように設定されている。例えば、左右の小入賞口（２２ａ、２２ｂ）に入球した場合には、左右の大入賞口（３０ａ、３０ｂ）は、５球入球するまで開いた状態を維持し、中央の小入賞口２２ｃに入球した場合には、中央の大入賞口３０ｃが１０球入球するまで開いた状態を維持するといった具合である。なお、この場合であっても１球入球するごとに開閉は行われる。さらに、小入賞口２２による入球による開口に加えて、大入賞口３０に直接遊技球が入球した場合にも大入賞口３０が開くように設定してもよい。直接入球した場合の開閉動作としては、例えば、遊技球が入球する度に開閉するようにしてもよいし、一定数入球した後に開閉するようにしてもよく、適宜選択することができる。但し、直接入球して開いた場合には、小入賞口２２に入球した場合と比較して少ない入球数で閉じるようにすることが好ましい。さもないと、小入賞口２２に入賞した場合の当選感が感じられなくなるからである。このように大入賞口３０は、小入賞口２２に入球した場合に一定数の遊技球が入球しやすくなるように設定されている。大入賞口３０に遊技球が入球した場合には、裏面側にある検知部材（図示しない。）によって検知され、所定の数の賞球が下方に払い出される。なお、大入賞口３０の配置は、特に限定するものではなく、適宜任意に配置することができる。
【００２９】
大入賞口３０の正面には、画像表示装置６０が設けられている。画像表示装置６０は、少なくとも数値が表示可能に設けられており、カウンターを表示する機能を有するものが使用される。例えば、液晶モニター、有機ＥＬ、ドットマトリックスを使用したモニター又はセブンセグメントディスプレイ等が挙げられる。画像表示装置６０は、それぞれの大入賞口３０に入球した遊技球の数を検知する検知部材からの信号により、それぞれの大入賞口３０にいくつ遊技球が入球したかを表示する。検知部材については、後述する。この際には、入球した数を表示してもよいし、入球に応じて数字を減らし、閉じるまでの入球数を表示してもよい。数字はあくまで例であり、漢字表記であってもよいし、星の数等で表示してもよい。画像表示装置６０は、大入賞口３０が開口していない場合には、図柄等を表示させてもよい。画像表示装置６０は、図２に示すように、大入賞口３０のチューリップの下方側の側面及び正面を囲うように、枠部材６１が形成されており、その正面に画像表示装置６０が設けられている。枠部材６１は、図２Ａに示すように、略コの字の断面に取付片６１ａが設けられており、この取付片６１ａは、大入賞口３０のベース部材３０ｄを取付けるための取り付け穴３４を利用して螺合部材で取付けられている。画像表示装置６０は、電気的に大入賞口３０とは直接接続されておらず、画像表示装置６０は、枠部材６１を介してパチンコ遊技機２００の裏側に配置されている制御回路と電気的に接続されている。従って、大入賞口３０にはなんらの電気的接続はされておらず、純粋な機械的駆動の入賞口である。この制御回路は、入賞した遊技球をカウントし、賞球を制御する。かかる制御回路からの信号によって画像表示装置６０は、適宜選択して、画像を表示したり、大入賞口３０に入球した遊技球のカウントを画像表示装置６０に表示したりすることができる。カウントの方法としては、通常のように、大入賞口３０の背面側に検知部材を設けても良いが、例えば、図２に示すように、光センサ５０を画像表示装置６０に設けても良い。光センサ５０をチューリップの羽根の開口している場所に相当する位置に設け、チューリップの羽根を挟んで対向する位置にリフレクタ５１を設けることによって、チューリップの羽根の移動回数をカウントするとよい。すなわち、チューリップの羽根は、遊技球が入球する度に開閉を繰り返すので、羽根が存在する場合（羽が開いている状態）と、存在していない場合（羽が閉じている状態）をカウントすることでチューリップに入球した遊技球の数をカウントすることができる。この情報は、前述した制御回路に送られ、画像表示装置６０に送られる。
【００３０】
一般入賞口３５は、大入賞口３０以外の入賞口であり、適宜任意の個数が選択して取付けられる。一般入賞口３５としては、いわゆる単純に入球した場合のすべてに賞球されるタイプや、入球した場合に当選とはずれがあり、当選した場合だけ賞球するタイプ等のいずれであってもよい。当選した場合だけ賞球するタイプの一般入賞口３５としては、例えば、図３に示したものがある。本実施形態にかかる一般入賞口３５は、両側面３５ａ及び正面３５ｂを有する上下が開放された筒状に形成されており、上方から入球した遊技球がまっすぐ落下した場合には下方に落下することができる。正面３５ｂは上端から下端に向かって形成された溝３５ｄが形成されている。かかる溝３５ｄを設けることによって、遊技者は、遊技球がまっすぐ落下したかどうかを正面から確認することができる。正面の裏面には、裏面側に向かって低くなるような傾斜面３５ｃが設けられている。この傾斜面３５ｃは、遊技球を裏面側へ誘導する。一般入賞口３５の背面側の遊技盤１００には、当選口３７が設けられており、この当選口３７に入球すると賞球が支払われる。当選口３７の周囲又は背面側に磁石３８が設けられており、磁石３８による磁力によって、遊技球を引きつけて当選口３７に遊技球が入りやすくなるように形成されている。本実施形態においては、当選口３７の上面に磁石３８が設けられている。磁石３８は、遊技球にかかる磁力は、数段回に調整可能に設けてもよい。例えば、背面側に電磁石を設けて、あらかじめ電磁石の磁力を数段回に設定可能にしてもよいし、マグネットの位置を変更することによって磁力を変更することができるようにしてもよい。なお、当選口の底面３７ａは、断面が山の形になるように当選口３７の開口近傍は開口側に向かって下降するように、奥側は奥に行くほど下降するように傾斜を設けて形成するとよい。このように作製することで、遊技球が開口付近で滞留することを防止でき、スムーズに遊技球を落下又は当選口３７内に誘導することができる。
【００３１】
シーソー型仕掛物４０は、仕掛部材２０の左右のいずれか又は両方に配置されている。本実施形態においては、仕掛部材２０の両側に配置されている。シーソー型仕掛物４０は、遊技球を仕掛部材２０の左右の入賞口２２へ一定の確率で誘導するためのものである。左右に設置される場合のシーソー型仕掛物４０は、左右対称に形成されるので、ここでは、正面から見て左側に配置されるシーソー型仕掛物４０について説明し、右側に配置されているシーソー型仕掛物４０の説明に代える。シーソー型仕掛物４０は、図４に示すように、球受部４１と、この球受部４１を回転自在に軸支する回転軸部４２と、この球受部４１が略水平になった場合に球受部４１の回転を止めて支持する支持部４３とを有している。球受部４１は、正面から見た場合に、第１球受面４２ａ、第２球受面４２ｂ及び両側面４２ｃ、４２ｄからなる略台形の角柱に形成されている。なお、第１球受面４２ａと第２球受面４２ｂは必ずしも完全な平行面である必要はなく、多少非平行面であってもよい。本実施形態においては、正面から見て、第１球受面４２ａが上面側にある場合（図４Ｂ）の状態で右側の厚さが薄くなるように形成されている。球受部４１の略中央には、球受部４１が図４Ａの矢印に示すように回転可能に軸支する回転軸部４２を有している。従って、球受部４１に遊技球が落下した場合に遊技球の重みによって、図５に示すように、矢印の方向に回転することになる。支持部４３は、正面から視認した場合に三角形となる三角柱に形成されている。支持部４３は、球受部４１の仕掛部材２０側（正面から見て右側）に配置されており、垂直面が仕掛部材２０側で斜面が回転軸部４２側になるように配置されている。球受部４１は、第１球受面４２ａが上面側にある場合（図４Ｂ）の状態で支持部４３の斜面によって、図４Ｂに示すように、球受部４１の側面４２ｃを支持し、球受部４１がこれ以上右回転しないように球受部４１を支持する。この状態で第１球受面４２ａは、水平又は仕掛部材２０側が低くなるような傾斜面となるように配置されており、第１球受面４２ａに落下した遊技球が仕掛部材２０側へ誘導されやすくなっている。この状態から球受部４１が左回りに約１８０°回転し、第２球受面４２ｂが上面側に配置された場合には、支持部４３は、球受部４１の側面４２ｃと反対の側面４２ｄを支持し、これ以上左回転しないように球受部４１を支持する。この状態で第２球受面４２ｂは、水平又は仕掛部材２０側が低くなるような傾斜面となるように配置されており、第２球受面４２ｂに落下した遊技球が仕掛部材２０側へ誘導されやすくなっている。こうして構成されたシーソー型仕掛物４０は、第１球受面４２ａが上面に配置された状態、すなわち、これ以上右回転しない状態に支持されている場合（図４Ａ参照）において、球受部４１の回転軸部４２より仕掛部材２０側に遊技球が落下したときは、これ以上、球受部４１は右回転しないので、遊技球は、球受部４１の第１球受面４２ａの傾斜によって、仕掛部材２０の小入賞口２２に誘導されやすくなる。一方、遊技球が球受部４１の回転軸部４２より仕掛部材２０の反対側に落下した場合には、図４Ｂの矢印に示すように、球受部４１は、左回転して遊技球は下方���落下しやすくなる。一方で、図４Ｃに示すように、第２球受面４２ｂが上面側に配置された状態、すなわち、これ以上左回転しない状態に支持されている場合において、遊技球が球受部４１の回転軸部４２より仕掛部材２０側に落下したときは、球受部４１は、右回転して遊技球が下方へ落下しやすくなる。遊技球が球受部４１の回転軸部４２より仕掛部材２０側の反対側に落下した場合には、仕掛部材２０側へ遊技球は転がりやすいが、遊技球の転がる勢いが低い場合には、球受部４１が右回転して遊技球が落下しやすくなる。基本的な考え方は、以上であるが、実際には複数の遊技球が短い時間で複数落下する可能性が高いので複雑な動きを呈することになる。
【００３２】
シーソー型仕掛物４０の上方には、いわゆる風車が設けられており、風車に落下した遊技球は、球受部４１へ誘導されやすくなり、結果として仕掛部材２０へ遊技球が誘導されやすくなり、遊技者にとって魅力ある遊技機とすることができる。
【００３３】
アウト口７０は、小入賞口２２、大入賞口３０及一般入賞口３５に入球しなかったアウト球を回収するためのものである。アウト口７０は、図１に示すように、正面から見た際に右側に配置されているが、勿論、中央であってもよい。
【００３４】
遊技盤１００の裏面には、集合カバー（図示しない。）が設けられており、小入賞口２２、大入賞口３０及び一般入賞口３５に入球して当選した遊技球及び遊技領域まで到達しなかったファール球は、一旦、遊技盤１００の裏面に流出して集合カバーによって遊技盤１００の下端右側に配置されたアウト口７０の裏面側を経由してアウト口７０から排出された遊技球とともに排出される。
【００３５】
本実施形態にかかる遊技盤１００には、図１に示すように、複数の障害釘１５が適宜植設されている。本実施形態においては、これらの障害釘１５のうち、いわゆる天釘１５ａとよばれる障害釘１５が特徴的な配置とされている。すなわち、天釘１５ａに配置される障害釘１５のうち横方向に並んで配置される障害釘１５がそれぞれ垂直方向に２本以上隣接して配置されている。このように天釘１５ａを配置することによって、垂直方向に配置された天釘１５ａ内を遊技球が通過した場合には、遊技球の回転が抑えられるとともに、横方向の振動も抑えられるため、遊技球の勢いが落ちて、垂直に落下しやすくなる。本実施形態においては、２本ずつ垂直方向に配置された天釘が４組配置されている。このため、この４組の天釘の間を通過した遊技球は、仕掛部材２０に落下しやすくなり、仕掛部材２０に遊技球を入球させやすくさせることができる。そのため、遊技者にとって魅力のあるパチンコ遊技機２００を提供することができる。また、天釘１５ａ以外の障害釘において、一部が三角形の頂点となるような３つの障害釘１５を一組として、これらが斜めになるように配置されている。例えば、図１のαのように斜めに三角形に形成された障害釘１５が配置されている。この配置は、右下がりの斜めに配置されているもの、左下がりの斜めに配置されているものが複数形成され、図１のβに示す枠内の４つの組のようにひし形状の配置が規則正しく配置されることになる。このように配置することで、遊技球は斜めに流れやすくなり、流れる方向に大入賞口３０や一般入賞口３５を配置することで、遊技球をこれらの入賞口に入球させやすくなる。
【００３６】
以上のように構成されたパチンコ遊技機２００は、以下のように使用される。パチンコ遊技機２００は、図６に示すように、前面略中央部に位置する遊技領域１０と、球発射装置に連動して前面下部の右側に回転可能に設けられた発射ハンドル１２０と、前面下部に設けられ遊技球を保持する球受皿２３０と、を備えており、発射ハンドル１２０によって、遊技盤１００の遊技領域に遊技球が発射される。
【００３７】
発射ハンドル１２０によって発射された遊技球は、遊技領域１０内に送られ、障害釘１５等に弾かれつつ、遊技領域内を落下する。落下の途中で、小入賞口２２に直接入球した場合には、前述したように、大入賞口３０は、所定数の入球があるまで開口した状態になる。開口している間は、遊技球が入球しやすくなり、払い出し量が増加することになる。設定した数量の遊技球が入球すると、大入賞口３０は閉じ、再度、大入賞口３０に直接入球するか、又は仕掛部材２０の小入賞口２２に入賞すると、また開口することになる。この際に、それぞれの大入賞口３０にいくつ遊技球が入球したかは、画像表示装置６０に表示されるため、遊技者には、あと何球入賞しやすい状態が続くか、分かりやすく、遊技を続けやすくなる。それぞれ大入賞口３０及び小入賞口２２への入球数は、それぞれに対応した検知部材によって入賞が検知され、それぞれの設定に基づいて払出装置（図示しない。）によって所定の球数が賞球として払い出される。
【００３８】
遊技球が遊技領域を落下する際において、本発明において特有の趣向性を有する動きについて説明する。まず、天釘１５ａ内を通過した遊技球は、そのまま下方へ落下しやすく、仕掛部材２０へ誘導されやすくなる。また、風車に落下した遊技球は、シーソー型仕掛物４０又は仕掛部材２０へ誘導されやすくなる。さらに、シーソー型仕掛物４０へ落下した遊技球は、上述したようにシーソー型仕掛物４０に移動して、複雑な遊技球の動きを誘引するとともに、一定の割合で遊技球を仕掛部材２０へ誘導されやすくなる。
【産業上の利用可能性】
【００３９】
上述した実施の形態で示すように、パチンコ遊技機に利用することができる。
【符号の説明】
【００４０】
１０…遊技領域、１１…ガイドレール、１１ａ…外側ガイドレール、１１ｂ…内側ガイドレール、１２…遊技球案内通路、１５…障害釘、１５ａ…天釘、２０…仕掛部材、２２…仕掛部材、２２ａ…小入賞口、２２ｂ…小入賞口、２２ｃ…小入賞口、３０…大入賞口、３０ａ…大入賞口、３０ｂ…大入賞口、３０ｃ…大入賞口、３４…穴、３５…一般入賞口、３５ａ…両側面、３５ｂ…正面、３５ｃ…傾斜面、３５ｄ…溝、３７…当選口、３７ａ…底面、３８…磁石、４０…シーソー型仕掛物、４１…球受部、４２…回転軸部、４２ａ…第１球受面、４２ｂ…第２球受面、４２ｃ…両側面、４２ｄ…側面、４３…支持部、５０…光センサ、５１…リフレクタ、６０…画像表示装置、６１…枠部材、６１ａ…取付片、７０…アウト口、１００…遊技盤、１２０…発射ハンドル、２００…パチンコ遊技機、２３０…球受皿
【図１】
2019141420.tif 000003
【図２】
2019141420.tif 000004
【図３】
2019141420.tif 000005
【図４】
2019141420.tif 000006
【図５】
2019141420.tif 000007
【図６】
2019141420.tif 000008